(57)【要約】【課題】（１）隅（壁際）などにある塵挨を効率よく除去することができる清掃用具の提供。（２）被清掃面に付着した薄い塵を効率よく除去することができる清掃用具の提供。（３）溝内（凹部）にある塵挨を効率よく除去することができる清掃用具の提供。【解決手段】  線状部材を結束して保持する保持手段５と、この保持手段５により直線状の線状部材１が結束されてなるブラシ体７と、このブラシ体７の外周の少なくとも一部において前記保持手段により保持され、その先端部が曲折して前記ブラシ体の外方に突出するよう配置される、前記直線状の線状部材１より剛性および耐久性に優れた曲折型の線状部材（折線型線状部材２、円弧型線状部材３、波型線状部材４）と、を備えている。【選択図】    図１
2008220886.tif 000002
【特許請求の範囲】
【請求項１】
線状部材を結束して保持する保持手段と、
この保持手段により直線状の線状部材が結束されてなるブラシ体と、
このブラシ体の外周の少なくとも一部において前記保持手段により保持され、その先端部が曲折して前記ブラシ体の外方に突出するよう配置される、前記直線状の線状部材より剛性および耐久性に優れた曲折型の線状部材と、
を備えていることを特徴とする清掃用具。
【請求項２】
細長い形状の結束断面（５Ａ）が得られるよう、線状部材を結束して保持する保持手段（５）と、
この保持手段（５）により直線状の線状部材（１）が結束されてなるブラシ体（７）と、
前記保持手段（５）により保持される、前記直線状の線状部材（１）より剛性および耐久性に優れた曲折型の線状部材とを備えてなり、
前記曲折型の線状部材は、その基端部が、前記結束断面（５Ａ）の一端側および／または他端側において保持され、その先端部が曲折して前記結束断面（５Ａ）の長手方向における前記ブラシ体（７）の外方に突出するよう配置されていることを特徴とする請求項１に記載の清掃用具。
【請求項３】
前記曲折型の線状部材は、その先端部が折線状に曲折して前記結束断面（５Ａ）の長手方向における前記ブラシ体（７）の外方に突出する折線型線状部材（２）であって、
前記折線型線状部材（２）の先端部は、被清掃面に対してブラシ体（７）を直立させたときに、当該被清掃面に対して鋭角をなして接することを特徴とする請求項２に記載の清掃用具。
【請求項４】
前記曲折型の線状部材は、その先端部が円弧状に曲折して前記結束断面（５Ａ）の長手方向における前記ブラシ体（７）の外方に突出する円弧型線状部材（３）であって、
前記円弧型線状部材（３）の先端部は、被清掃面に対してブラシ体（７）を直立させたときに、当該被清掃面に対して鋭角をなして接することを特徴とする請求項２に記載の清掃用具。
【請求項５】
前記曲折型の線状部材は、その先端部が前記結束断面（５Ａ）の長手方向における前記ブラシ体（７）の外方に突出した後に、前記直線状の線状部材（１）が伸びる方向に再び曲折する波型線状部材（４）であって、
前記波型線状部材（４）の先端部は、被清掃面に対してブラシ体（７）を直立させたときに、当該被清掃面に対して鋭角または直角をなして接することを特徴とする請求項２に記載の清掃用具。
【請求項６】
前記曲折型の線状部材として、前記折線型線状部材（２）と、前記円弧型線状部材（３）と、前記波型線状部材（４）とを備えていることを特徴とする請求項２に記載の清掃用具。
【発明の詳細な説明】
【技術分野】
【０００１】
本発明は、隅溝の塵埃及び床面に付着した薄い塵の除去を容易にする清掃用具に関する。
【背景技術】
【０００２】
隅溝の塵埃や床面に付着した塵を除去清掃するために、箒、ブラシ、モップ、ごみ挟み、電気掃除機などの器具機械が使用されている。
【０００３】
隅の塵除去のために、専用の箒が提案されている（特許文献１）。
階段の隅掻き用具も提案されている（特許文献２）。
また、濡れた落ち葉や紙屑などを効率よく掃けるようにした箒も提案されている（特許文献３〜５）。
【特許文献１】特開平９−２４０１０号公報
【特許文献２】登録実用新案第３０１００７５号公報
【特許文献３】登録実用新案第３０６７７８８号公報
【特許文献４】特開平１０−２７６９５８号公報
【特許文献５】特開平８−３８４１２号公報
【発明の開示】
【発明が解決しようとする課題】
【０００４】
従来の箒、特にＴ型箒、清掃ブラシ、電気掃除機のアタッチメントなど、線状部材を結束してなるブラシ状部材は、例えば、部屋の隅の奥に届く部分が少ないので、そのような位置にある塵挨を除去することは困難である。
【０００５】
断面が横長な箒のブラシ状部材の両端の穂先は、磨耗しやすく、短くなると、隅の奥の塵挨には届き難くなる。
【０００６】
ブラシ状部材の先端は、平らに切り揃えられているので、溝内の塵を除去する場合に、当該先端を押し付けても、溝内部にある塵挨に届き難い。
【０００７】
床面に付着した薄い塵は、摩擦が大きいので、上面を通常の箒で掃いても取り除き難い。
【０００８】
従来の箒やブラシは、塵の上部や側面を押すことはできるが、ゴミの下にブラシ状部材の先端を差し込んで、これを剥がすことは難しい。
【０００９】
特許文献１〜５に記載の技術は、機能が限定的であったり、通常の箒との併用を必要としたり、箒に特別な部品を取り付けたりしなければならない難点がある。
【００１０】
本発明の第１の目的は、隅（壁際）などにある塵挨を効率よく除去することができる清掃用具を提供することにある。
本発明の第２の目的は、長期にわたる使用によりブラシの先端が磨耗した後においても、隅（壁際）などにある塵挨を効率よく除去することができる清掃用具を提供することにある。
本発明の第３の目的は、被清掃面に付着した薄い塵を効率よく除去することができる清掃用具を提供することにある。
本発明の第４の目的は、溝内（凹部）にある塵挨を効率よく除去することができる清掃用具を提供することにある。
【課題を解決するための手段】
【００１１】
本発明の清掃用具は、線状部材を結束して保持する保持手段と、この保持手段により直線状の線状部材が結束されてなるブラシ体と、このブラシ体の外周の少なくとも一部において前記保持手段により保持され、その先端部が曲折して前記ブラシ体の外方に突出するよう配置される、前記直線状の線状部材より剛性および耐久性に優れた曲折型の線状部材と、を備えていることを特徴とする。
【００１２】
本発明の清掃用具においては、細長い形状の結束断面が得られるよう、線状部材を結束して保持する保持手段と、この保持手段により直線状の線状部材が結束されてなるブラシ体と、前記保持手段により保持される、前記直線状の線状部材より剛性および耐久性に優れた曲折型の線状部材とを備えてなり、前記曲折型の線状部材は、その基端部が、前記結束断面の一端側および／または他端側において保持され、その先端部が曲折して前記結束断面の長手方向における前記ブラシ体の外方に突出するよう配置されていることが好ましい。
【００１３】
また、前記曲折型の線状部材は、その先端部が折線状に曲折して前記結束断面の長手方向における前記ブラシ体の外方に突出する折線型線状部材であって、前記折線型線状部材の先端部は、被清掃面に対してブラシ体を直立させたときに、当該被清掃面に対して鋭角をなして接するものであることが好ましい。
さらに、前記折線型線状部材の先端は、尖鋭または平坦に形成されていることが好ましい。
【００１４】
また、前記曲折型の線状部材は、その先端部が円弧状に曲折して前記結束断面の長手方向における前記ブラシ体の外方に突出する円弧型線状部材であって、前記円弧型線状部材の先端部は、被清掃面に対してブラシ体を直立させたときに、当該被清掃面に対して鋭角をなして接するものであることが好ましい。
さらに、前記円弧型線状部材の先端は、尖鋭または平坦に形成されていることが好ましい。
【００１５】
また、前記曲折型の線状部材は、その先端部が前記結束断面の長手方向における前記ブラシ体の外方に突出した後に、前記直線状の線状部材が伸びる方向に再び曲折する波型線状部材であって、前記波型線状部材の先端部は、被清掃面に対してブラシ体を直立させたときに、当該被清掃面に対して鋭角または直角をなして接するものであることが好ましい。
【００１６】
また、前記曲折型の線状部材として、前記折線型線状部材と、前記円弧型線状部材と、前記波型線状部材とを備えていることが好ましい。
【発明の効果】
【００１７】
本発明の清掃用具によれば、曲折型の線状部材の先端を、隅（壁際）などに接触させることができるとともに、曲折型の線状部材は、直線状の線状部材よりも剛性に優れているので、隅（壁際）などにある塵挨を効率的かつ容易に除去することができる。
【００１８】
本発明の清掃用具によれば、曲折型の線状部材が、直線状の線状部材よりも耐久性に優れているので、長期にわたる使用によりブラシ体（直線状の線状部材）の先端が磨耗した後であっても、曲折型の線状部材によって、隅（壁際）などにある塵挨を効率的かつ容易に除去することができる。
【００１９】
折線型線状部材または円弧型線状部材を備えている本発明の清掃用具によれば、被清掃面に付着した薄い塵であっても効率よく除去することができる。
【００２０】
波型線状部材を備えている本発明の清掃用具によれば、溝内（凹部）にある塵挨を効率的かつ容易に除去することができる。
【発明を実施するための最良の形態】
【００２１】
以下、本発明の清掃用具について、図面を用いて詳細に説明する。
図１は、本発明の清掃用具である箒の一実施形態を示す斜視図であり、図２は、線状部材の結束断面（図１のＡ−Ａ’断面）を示す図である。
この形態の清掃用具（箒）は、線状部材を結束して保持する保持手段５と、直線状の線状部材１が結束されてなるブラシ体７と、曲折型の線状部材である折線型線状部材２、円弧型線状部材３および波型線状部材４を備えている。図１において６は、保持手段５に連結された柄である。
【００２２】
保持手段５は、線状部材（直線状の線状部材１、折線型線状部材２、円弧型線状部材３、波型線状部材４）を結束して保持する手段である。図２に示すように保持手段５による線状部材の結束断面５Ａは細長い形状を有している。ここに「線状部材を結束」するとは、線状部材を結び束ねることに限定されるものではなく、例えば、多数の線状部材を基台に植設することによって束ねた状態とする態様も含まれる。
【００２３】
ブラシ体７は、保持手段５により直線状の線状部材１が結束されてなる。図２に示したように、線状部材１は、結束断面５Ａの中央部分において結束されている。線状部材１の材質としては特に限定されるものではなく、従来公知の材料（例えば、植物繊維、獣毛、化学繊維、金属）などから適宜選択することができる。
【００２４】
この実施形態の清掃用具（箒）には、曲折型の線状部材として、折線型線状部材２、円弧型線状部材３および波型線状部材４が備えられている。
【００２５】
折線型線状部材２は、その基端部が、結束断面５Ａの一端側〔ブラシ体７の結束領域の外側（図２において左側）〕において保持されるとともに、その先端部が折線状に曲折して結束断面５Ａの長手方向におけるブラシ体７の外方（図２中、矢印Ｘ１で示す方向）に突出するよう配置されている。そして、図３（１）に示すように、折線型線状部材２の先端部は、床面（被清掃面）Ｆに対してブラシ体７を直立させたときに、この床面Ｆに対して鋭角θ1 をなして接する状態となる。床面（被清掃面）Ｆに付着した薄い塵を効率的に除去する観点から、折線型線状部材２の先端部の角度（θ1 ）は４５°以下であることが好ましい。
【００２６】
円弧型線状部材３は、その基端部が、結束断面５Ａの他端側〔ブラシ体７の結束領域の外側（図２において右側）〕において保持されるとともに、その先端部が円弧状に曲折して結束断面５Ａの長手方向におけるブラシ体７の外方（図２中、矢印Ｘ２で示す方向）に突出するよう配置されている。そして、図３（２）に示すように、円弧型線状部材３の先端部は、床面Ｆに対してブラシ体７を直立させたときに、この床面Ｆに対して鋭角θ2 をなして接する状態となる。床面（被清掃面）Ｆに付着した薄い塵を効率的に除去する観点から、円弧型線状部材３の先端部の角度（θ2 ）は４５°以下であることが好ましく、更に好ましい。
【００２７】
波型線状部材４は、その基端部が、結束断面５Ａの他端側〔ブラシ体７の結束領域の外側（図２において右側）〕において保持されるとともに、その先端部が円弧状に曲折して結束断面５Ａの長手方向におけるブラシ体７の外方（図２中、矢印Ｘ２で示す方向）に突出した後に、直線状の線状部材１が伸びる方向に再び曲折するよう配置されている。そして、図３（３）に示すように、波型線状部材４の先端部は、床面Ｆに対してブラシ体７を直立させたときに、この床面Ｆに対して鋭角θ3 をなして接する状態となる。溝内（凹部）にある塵挨を効率的に除去する観点から、波型線状部材４の先端部の角度（θ3 ）は４５°以上であることが好ましい。
【００２８】
曲折型の線状部材である折線型線状部材２、円弧型線状部材３および波型線状部材４は、何れも、直線状の線状部材１よりも剛性に優れていることが必要である。曲折型の線状部材が優れた剛性を有することにより、清掃用具の使用中において、曲折型の線状部材に強い力が付与されても、当該線状部材は容易に変形されず、付与された力が当該線状部材の先端に効率的に伝達されるので、例えば、被清掃面に対して強固に付着した塵や溝内（凹部）にある塵挨を効率よく除去することができる。
【００２９】
また、曲折型の線状部材である折線型線状部材２、円弧型線状部材３および波型線状部材４は、何れも、直線状の線状部材１よりも耐久性に優れていることが必要である。これにより、直線状の線状部材１からなるブラシ体７の先端が経時的に磨耗した後においても、曲折型の線状部材（折線型線状部材２、円弧型線状部材３および波型線状部材４）によって、隅（壁際）などにある塵挨を効率的かつ容易に除去することができる。
【００３０】
曲折型の線状部材（折線型線状部材２、円弧型線状部材３、波型線状部材４）の材質としては、直線状の線状部材１よりも剛性および耐久性に優れたものの中から選択される。具体的には、金属、合成樹脂（例えば、ポリプロピレン）、各種天然素材などを使用することができる。
【００３１】
曲折型の線状部材（折線型線状部材２、円弧型線状部材３、波型線状部材４）を備えてなるこの実施形態の清掃用具（箒）によれば、例えば、階段や部屋の隅（壁際）にある塵挨を効率的かつ容易に除去することができる。
【００３２】
例えば、図４に示すように、円弧型線状部材３および波型線状部材４の先端を、部屋の壁に沿って移動させる（掃く）ことにより、隅（壁際の床面）にある塵挨を効率的かつ容易に除去することができる。
【００３３】
また、前記角度（θ1 ）が４５°以下である折線型線状部材２および前記角度（θ2 ）が４５°以下である円弧型線状部材３を備えてなるこの実施形態の清掃用具（箒）によれば、被清掃面に付着した薄い塵であっても効率よく除去することができる。
【００３４】
例えば、図５に示すように、ブラシ体７をほぼ直立させた状態とし、地面に付着した薄い塵（濡れ落ち葉）の下側に折線型線状部材２の先端を進入させて、当該塵を剥がすよう移動させる（掃く）ことにより、効率よく除去することができる。
【００３５】
ここに、薄い塵の下側への進入を容易にする観点から、折線型線状部材２および円弧型線状部材３の先端は、尖鋭または平坦に形成されていることが好ましい。
【００３６】
また、前記角度（θ3 ）が４５°以上である波型線状部材４を備えてなるこの実施形態の清掃用具（箒）によれば、溝内（凹部）にある塵挨を効率的かつ容易に除去することができる。
例えば、図６に示すように、ブラシ体７をほぼ直立させた状態とし、波型線状部材４の先端を溝内（凹部）に挿入させた状態で掃くことにより、溝内（凹部）にある塵挨を効率よく除去することができる。
【００３７】
なお、通常の被清掃面にある塵埃は、直線状の線状部材１を結束してなるブラシ体７により除去することができる。
【００３８】
図７は、本発明の清掃用具である箒の他の実施形態を示す説明図であり、図１に示したものと同一の構成要素には同一の符号を用いている。
図７（１）に示す清掃用具は、結束断面の両端側において折線型線状部材２が保持されている。
図７（２）に示す清掃用具は、結束断面の両端側において円弧型線状部材３が保持されている。
図７（３）に示す清掃用具は、結束断面の両端側において波型線状部材４が保持されている。
これらのように、結束断面の両端側において同一種類の曲折型の線状部材が保持されている清掃用具は、製造しやすく、使い勝手も良好である。
【００３９】
以上、本発明の実施形態について説明したが、本発明はこれらに限定されるものではない。例えば、本発明の清掃用具は、箒に限られるものではなく、線状部材が基台（保持手段）に植設されてなるものであってもよい。
【００４０】
本発明の清掃用具は、屋内及び屋外の何れにおいても好適に使用することができる。
【図面の簡単な説明】
【００４１】
【図１】本発明の清掃用具である箒の一実施形態を示す斜視図である。
【図２】線状部材の結束断面（図１のＡ−Ａ’断面）を示す図である。
【図３】曲折型の線状部材（折線型線状部材・円弧型線状部材・波型線状部材）の先端部が床面と接する状態を示す説明図である。
【図４】本発明の清掃用具の使用態様を示す斜視図である。
【図５】本発明の清掃用具の使用態様を示す斜視図である。
【図６】本発明の清掃用具の使用態様を示す斜視図である。
【図７】本発明の清掃用具である箒の他の実施形態を示す説明図である。
【符号の説明】
【００４２】
１    直線状の線状部材
２    折線型線状部材
３    円弧型線状部材
４    波型線状部材
５    保持手段
５Ａ  結束断面
６    柄
７    ブラシ体
【図１】
2008220886.tif 000003
【図２】
2008220886.tif 000004
【図３】
2008220886.tif 000005
【図４】
2008220886.tif 000006
【図５】
2008220886.tif 000007
【図６】
2008220886.tif 000008
【図７】
2008220886.tif 000009